(57)【要約】　　　（修正有）【課題】ケーブル巻き取り機構を具えたＵＳＢケ−ブルの提供。【解決手段】ＵＳＢソケット１、信号コネクタ３、及びケーブル巻き取り器を具え、該ケーブル巻き取り器がＵＳＢソケット及び信号コネクタの間に連結され、ケーブル巻き取り器がフラット式通信ケーブル２４、渦形バネ２５及びボール２３をコンパクトに一つのケース２１内に収容してなり、その空間配置が簡素で、コンパクトであり、ＵＳＢケーブルに使用上の便利性を具備させる。【選択図】　　　　図２
0003097567.tif 000002
【実用新案登録請求の範囲】
【請求項１】
ケーブル巻き取り機構を具えたＵＳＢケ−ブルにおいて、
ＵＳＢソケットと、
該ＵＳＢソケットと信号コネクタの間に連接され、二つのケースが嵌合されてなり、そのうち第１のケースに軸柱が凸設され、該軸柱に回転盤が枢設され、該回転盤の円周面に線溝が設けられ、該線溝にフラット式通信ケーブルが配設され、該回転盤の表面に環状に溝が設けられ、該溝に隣接する部分に案内溝が設けられ、該案内溝の近隣部分に円弧形切欠きが設けられ、並びに該円弧形切欠きが該溝の末端に隣接し、該軸柱に割り溝が設けられて該割り溝に渦形バネが連接され、第２のケースの内表面に限位溝が凹設されて、回転盤の表面にボールが設けられ、該ボールが第１のケースと第２のケースが嵌合された時に、第１のケースの溝と第２のケースの限位溝が相互に対応する部分に位置するケーブル巻き取り器と、
を具えたことを特徴とする、ケーブル巻き取り機構を具えたＵＳＢケ−ブル。
【請求項２】
請求項１記載のケーブル巻き取り機構を具えたＵＳＢケ−ブルにおいて、信号コネクタの代わりに信号プラグが連接されたことを特徴とする、ケーブル巻き取り機構を具えたＵＳＢケ−ブル。
【請求項３】
ケーブル巻き取り器において、該ケーブル巻き取り器は二つの電子設備の間に連接され、ケーブルの長さを調整するのに供され、該ケーブル巻き取り器は二つのケースが嵌合されてなり、そのうち第１のケースに軸柱が凸設され、該軸柱に回転盤が枢設され、該回転盤の円周面に線溝が設けられ、該線溝にフラット式通信ケーブルが配設され、該回転盤の表面に環状に溝が設けられ、該溝に隣接する部分に案内溝が設けられ、該案内溝の近隣部分に円弧形切欠きが設けられ、並びに該円弧形切欠きが該溝の末端に隣接し、該軸柱に割り溝が設けられて該割り溝に渦形バネが連接され、第２のケースの内表面に限位溝が凹設されて、回転盤の表面にボールが設けられ、該ボールが第１のケースと第２のケースが嵌合された時に、第１のケースの溝と第２のケースの限位溝が相互に対応する部分に位置し、ケーブルが引き出される時、ボールが限位溝に進入して係止し、ケーブル長さを限定し、ケーブル巻回時に、ケーブルを引っ張る操作により、ボールが限位溝を離脱し、渦形バネの回復力によりケーブルが回転盤外に巻回されることを特徴とする、ケーブル巻き取り器。
【考案の詳細な説明】
【０００１】
【考案の属する技術分野】
本考案は一種のケーブル巻き取り機構を具えたＵＳＢケ−ブルに係り、特に、自動巻回されるフラット式通信ケーブルを具えると共に、ＵＳＢケーブルに用いられる構造の、ケーブル巻き取り機構を具えたＵＳＢケ−ブルに関する。
【０００２】
【従来の技術】
一般にＵＳＢケーブル１ａは、図１に示されるように、そのケーブルが固定長さとされ、所有者が使用時に必要に応じて長さを選択できず、不便な状況が発生しやすい。且つＵＳＢケーブル１ａは放置時に、まずケーブルを巻いて成形しなければならず、これに時間と手間がかかる。このため業界では、線材を収容できるＵＳＢ対ＵＳＢ連結装置を提供している（例えば特許文献１参照。）。それは、図１に示されるように、上下対称に相互に組み合わされ、内部に円形孔座を具え、これに対応する１８０度の位置に収容溝が設けられ、収容溝と円形孔座間に溢口が設けられて相互に連通する、上ケースと下ケースと、
円形環状を呈して上ケースと下ケースの間の円形孔座に収容され、その円形軌跡に沿って円形回転し、内部に収容室があり、外部周縁に少なくとも一つの巻線溝が凹設され、該巻線溝と収容空間が貫通孔で連通し、上部に回転部が設けられ、該回転部の上に回転操作用の握持部が設けられた、巻線装置と、
ＵＳＢ対ＵＳＢホストマシン連結の制御回路で組成され、該巻線装置の収容室内に収容される、プリント基板と、
一端がプリント基板に連接され、もう一端が該巻線装置の収容室より貫通孔を通り巻線装置外に突出し、並びに上ケースと下ケースの溢口を通り、収容室中より突出して更にＵＳＢプラグに連結され、ＵＳＢ対ＵＳＢホストマシン連結のＵＳＢソケットとの連結に供される、一対の連結ケーブルと、
を具えている。
【０００３】
そのうち、該巻線装置の上端の握持部に対する回転操作により、該巻線装置が円周軌跡に沿って運転し、並びに二つの連結ケーブルが該巻線装置の巻線溝内に収容され、該連結ケーブルの末端のＵＳＢプラグが上ケースと下ケースの収容溝中に収容され、これにより連結ケーブルが完全に上ケースと下ケースの内部に収容される。
【０００４】
【特許文献１】
台湾実用新案公告第４４１８８３号
【０００５】
【考案が解決しようとする課題】
上記従来のＵＳＢ対ＵＳＢ連結装置は、全体空間の配置上、十分には簡単ではなく、平面面積が過大であるか、或いは厚さが厚過ぎ、その使用上、便利性を具備しないという問題がある。
【０００６】
ゆえに本考案は、一体型で体積が小さく且つ実用性に優れ、便利である、ケーブル巻き取り機構を具えたＵＳＢケ−ブルを提供するものである。
【０００７】
本考案の主要な目的は、一種のケーブル巻き取り機構を具えたＵＳＢケ−ブルを提供することにあり、それは、ケーブル巻き取り器がＵＳＢソケットと信号コネクタの間に連結され、ケーブル巻き取り器がフラット式通信ケーブル、渦形バネ及びボールの主要構成部品を、巧みな設計により一つのケース内に収容配置し、その空間配置を簡単とし、体積をコンパクトとし、ＵＳＢケーブルが使用上の便利性を具備するように形成されたものとする。
【０００８】
本考案はまた、一種のケーブル巻き取り機構を具えたマウスを提供することにあり、それは、ケーブル巻き取り器の係止構造により、通信ケーブルが所定距離引き出された時に、階段式の逆止係止作用により、暫時その長さを固定して使用に供し、更にもう一つの所定距離まで引き出された時に、自動的に係止を解除して自動巻回し、使用者がこれにより巻回弾力の干渉を受けずに必要な固定長さに引き出すことができ、便利であるものとする。
【０００９】
本考案はさらに、ケーブル巻き取り機構の両端に連接される設備をＵＳＢのプラグ及びソケットに限定せず、異なるプラグ及びコンピュータ周辺設備、例えばマウス及びイヤホン、マイクロホン或いはその結合装置に交換できるようにし、異なる用途を達成できるようにすることを目的としている。
【００１０】
【課題を解決するための手段】
請求項１の考案は、ケーブル巻き取り機構を具えたＵＳＢケ−ブルにおいて、
ＵＳＢソケットと、
該ＵＳＢソケットと信号コネクタの間に連接され、二つのケースが嵌合されてなり、そのうち第１のケースに軸柱が凸設され、該軸柱に回転盤が枢設され、該回転盤の円周面に線溝が設けられ、該線溝にフラット式通信ケーブルが配設され、該回転盤の表面に環状に溝が設けられ、該溝に隣接する部分に案内溝が設けられ、該案内溝の近隣部分に円弧形切欠きが設けられ、並びに該円弧形切欠きが該溝の末端に隣接し、該軸柱に割り溝が設けられて該割り溝に渦形バネが連接され、第２のケースの内表面に限位溝が凹設されて、回転盤の表面にボールが設けられ、該ボールが第１のケースと第２のケースが嵌合された時に、第１のケースの溝と第２のケースの限位溝が相互に対応する部分に位置するケーブル巻き取り器と、
を具えたことを特徴とする、ケーブル巻き取り機構を具えたＵＳＢケ−ブルとしている。
請求項２の考案は、請求項１記載のケーブル巻き取り機構を具えたＵＳＢケ−ブルにおいて、信号コネクタの代わりに信号プラグが連接されたことを特徴とする、ケーブル巻き取り機構を具えたＵＳＢケ−ブルとしている。
請求項３の考案は、ケーブル巻き取り器において、該ケーブル巻き取り器は二つの電子設備の間に連接され、ケーブルの長さを調整するのに供され、該ケーブル巻き取り器は二つのケースが嵌合されてなり、そのうち第１のケースに軸柱が凸設され、該軸柱に回転盤が枢設され、該回転盤の円周面に線溝が設けられ、該線溝にフラット式通信ケーブルが配設され、該回転盤の表面に環状に溝が設けられ、該溝に隣接する部分に案内溝が設けられ、該案内溝の近隣部分に円弧形切欠きが設けられ、並びに該円弧形切欠きが該溝の末端に隣接し、該軸柱に割り溝が設けられて該割り溝に渦形バネが連接され、第２のケースの内表面に限位溝が凹設されて、回転盤の表面にボールが設けられ、該ボールが第１のケースと第２のケースが嵌合された時に、第１のケースの溝と第２のケースの限位溝が相互に対応する部分に位置し、ケーブルが引き出される時、ボールが限位溝に進入して係止し、ケーブル長さを限定し、ケーブル巻回時に、ケーブルを引っ張る操作により、ボールが限位溝を離脱し、渦形バネの回復力によりケーブルが回転盤外に巻回されることを特徴とする、ケーブル巻き取り器としている。
【００１１】
【考案の実施の形態】
図２、３を参照されたい。本考案のケーブル巻き取り機構を具えたＵＳＢケ−ブルは、ＵＳＢソケット１、ケーブル巻き取り器２、信号コネクタ３を具えている。
【００１２】
該ＵＳＢソケット１はコンピュータと連接される。
【００１３】
該信号コネクタ３は、充電器或いはディジタルカメラと連接される。
【００１４】
ケーブル巻き取り器２は、ＵＳＢソケット１と信号コネクタ３の間に連接され、ケース２１、回転盤２２、ボール２３、フラット式通信ケーブル２４及び渦形バネ２５で組成される。
【００１５】
該ケース２１は二つのケース２１１、２１２で組成され、そのうち第１のケース２１１の中間部分に上向きに軸柱２１３が凸設され、該軸柱２１３に割り溝２１４が設けられ、渦形バネ２５、回転盤２２が該軸柱２１３に枢設され、該割り溝２１４の上端にネジ孔２１５が形成され、第１のケース２１１の両側にそれぞれ凸柱２１６と凹孔２１７が設けられて第２のケース２１２との嵌合に供される。第２のケース２１２の内面の中間部分に、貫通孔２１８が設けられ、ネジ部品２１０が該貫通孔２１８を貫通して第１のケース２１１のネジ孔２１５にねじ込まれ、貫通孔２１８の一側に条状の限位溝２１９が設けられ、並びに第２のケース２１２の表面にカバー板２０が貼り付けられている。
【００１６】
該回転盤２２の中間部分に中空状の位置決め孔２２１が設けられ、該位置決め孔２２１が第１のケース２１１の軸柱２１３との枢設に供され、回転盤２２の周囲面に二つの線溝２２２が設けられ、回転盤２２の表面に環状に溝２２３が設けられ、該溝２２３に隣接する部分に斜めの案内溝２２４が設けられ、案内溝２２４の近隣部分に環状に円弧形切欠き２２５が設けられ、該円弧形切欠き２２５が溝２２３の末端に隣接する。
【００１７】
該ボール２３は可動式に回転盤２２の表面上に配設され、それは第１のケース２１１と第２のケース２１２が嵌合される時、ちょうど第１のケース２１１の溝２２３と第２のケース２１２の限位溝２１９が相互に対応する部分に位置する。
【００１８】
該フラット式通信ケーブル２４の一端はＵＳＢソケット１に連接され、別端は信号コネクタ３に連接され、それは二つの部分が巻回され、該回転盤２２の二つの線溝２２２中に配設される。
【００１９】
該渦形バネ２５は回転盤２２内に収容され、その内側の係止端２５１が第１のケース２１１の軸柱２１３の割り溝２１４に連接される。
【００２０】
以上の組合せにより本考案のケーブル巻き取り機構を具えたＵＳＢケ−ブルが形成される。その実際の使用に際しては、該ケーブル巻き取り機構により相当な長さの通信ケーブルを巻回収容でき、且つそれを自動巻き取りの特性を有している。
【００２１】
ＵＳＢソケット１或いは信号コネクタ３は、ケーブル巻き取り器２の係止構造が、通信ケーブル２４が所定の距離引き出されるごとに、階段式の逆止係止作用を発生することから、暫時その長さが固定され使用に供され、且つ別の所定距離引き出された時に、通信ケーブル２４が自動的に係止解除されて自動巻回されるため、使用者が巻回弾力作用の干渉を受けることなく必要な長さに引き出すことができ、便利である。
【００２２】
図４に示されるように、フラット式通信ケーブル２４が引き出されて回転盤２２が逆時計回りに回転する時、該溝２２３に位置するボール２３が円弧形切欠き２２５に向けて時計回りに回転し、並びに必要な部分に至って停止する。図５に示されるように、もし続けて引き出したい場合は、さきにフラット式通信ケーブル２４を引っ張ってから離すと、ボール２３が渦形バネ２５が発生する弾性変形により時計回りに回転し、図６に示されるようであり、ボール２３が案内溝２２４に向けて移動し並びに係止作用を受け、位置決め効果が形成され、これは図７に示されるようである。すなわち、使用者が必要な長さにフラット式通信ケーブル２４を引き出すと、暫時その長さが固定されて巻回されず、使用者が続けてフラット式通信ケーブル２４を引き出しても、案内溝２２４に対する係止作用は発生せず、回転盤２２が逆時計方向に回転し、案内溝２２４に位置するボール２３が溝２２３に向けて時計回りに移動し、図８に示されるように、こうして循環動作が行われる。
【００２３】
図９に示されるように、使用者がフラット式通信ケーブル２４を巻回したい時、ただフラット式通信ケーブル２４を少し引っ張れば、ボール２３が案内溝２２４より溝２２３に移動し、さらに使用者がフラット式通信ケーブル２４を離せば、フラット式通信ケーブル２４が巻回される。則ち、回転盤２２が渦形バネ２５の作用により、時計回りに回転し、フラット式通信ケーブル２４を巻回し、これは図１０に示されるとおりである。
【００２４】
図１１に示されるように、本考案は信号コネクタ３は信号プラグ４に交換されうる。
【００２５】
図１２に示されるように、本考案のケーブル巻き取り器２の両端に連接される設備は、コンピュータに連接されるプラグ３’、及びマウス１’とされうる。マウス１’とプラグ３’の距離を調整する時、使用者は本考案のマウス用ケーブル巻き取り機構を具えたＵＳＢケ−ブル２を利用してケーブルの長さを調整でき、マウス１’の操作に便利とすることができる。
【００２６】
また、図１３に示されるように、本考案のケーブル巻き取り器２の両端に連接される設備は、音響装置に連接されるプラグ３”、及びイヤホン４１又はマイクロホン４２、或いはイヤホンとマイクロホンの結合された装置とされうる。これは電話のハンズフリー装置、或いはコンピュータに利用される。
【００２７】
【考案の効果】
総合すると、本考案の設計により、自動巻回される通信ケーブルと、ＵＳＢソケット及び信号コネクタが結合されて一体とされ、並びに各部品間の空間配置が簡単で、体積がコンパクトであり、これにより使用上、従来の技術よりも便利性を具備し、実用新案登録の要件を具備している。なお、本考案に基づきなしうる細部の修飾或いは改変は、いずれも本考案の請求範囲に属するものとする。
【図面の簡単な説明】
【図１】周知のＵＳＢケーブルの斜視図である。
【図２】本考案の分解斜視図である。
【図３】図２の組合せ図である。
【図４】本考案中のボールが回転盤表面に組み付けられた平面構造図である。
【図５】本考案中の通信ケーブルが引き出されて回転盤を回転させる時の平面構造図である。
【図６】本考案中の渦形バネ変形し回転盤を回転させる時の平面構造図である。
【図７】本考案中の通信ケーブルが所定の距離引き出されて回転盤を回転させる時の平面構造図である。
【図８】本考案中の通信ケーブルが続けて引き出されて回転盤を回転させる時の平面構造図である。
【図９】本考案中の通信ケーブルが巻回されて回転盤が回転する時の平面構造図である。
【図１０】本考案中の回転盤が続けて回転する時の平面構造図である。
【図１１】本考案のもう一つの実施例図である。
【図１２】本考案がマウスに応用された実施例図である。
【図１３】本考案がハンズフリー装置に応用された実施例図である。
【符号の説明】
１　ＵＳＢソケット
２　ケーブル巻き取り機構を具えたＵＳＢケ−ブル
２０　カバー板
２１　ケース
２１０　ネジ部品
２１１　第１のケース
２１２　第２のケース
２１３　軸柱
２１４　割り溝
２１５　ネジ孔
２１６　凸柱
２１７　凹孔
２１８　貫通孔
２１９　限位溝
２２　回転盤
２２１　位置決め孔
２２２　線溝
２２３　溝
２２４　案内溝
２２５　円弧形切欠き
２３　ボール
２４　通信ケーブル
２５　渦形バネ
２５１　係止端
１’　マウス
３　信号コネクタ
３’　プラグ
３”　プラグ
４　信号プラグ
４１　イヤホン
４２　マイクロホン
１ａ　ＵＳＢケーブル
【図１】
0003097567.tif 000003
【図２】
0003097567.tif 000004
【図３】
0003097567.tif 000005
【図４】
0003097567.tif 000006
【図５】
0003097567.tif 000007
【図６】
0003097567.tif 000008
【図７】
0003097567.tif 000009
【図８】
0003097567.tif 000010
【図９】
0003097567.tif 000011
【図１０】
0003097567.tif 000012
【図１１】
0003097567.tif 000013
【図１２】
0003097567.tif 000014
【図１３】
0003097567.tif 000015